(57)【要約】      （修正有）【課題】台座部に保持される宝石が細かく揺動可能な状態を長期に亘って安定して維持することが可能な身飾品を提供する。【解決手段】この身飾品は、左右一対の台座側係合リング部24を備えるとともに宝石10を固定保持する台座部20と、台座側係合リング部24に連結される左右一対のフレーム側係合リング部32を備えるとともに台座部20を支持するフレーム部30とを備え、台座部20及び宝石10がフレーム部30に対して揺動可能に支持される身飾品において、少なくともフレーム側係合リング部32と、台座側係合リング部24のフレーム側係合リング部32に対する連結部分とを外側から保護する保護部材31を有することを特徴とする。【選択図】図１
2018192098.tif 000002
【特許請求の範囲】
【請求項１】
宝石(10)を固定保持する台座部(20,90) と、前記台座部(20,90) を支持するフレーム部(30,40,50,100)とを有し、前記台座部(20,90) は、前記宝石(10)を挟んで相対する位置に配される左右一対の台座側係合リング部(24,24c,94) を備え、前記フレーム部(30,40,50,100)は、左右の前記台座側係合リング部(24,24c,94) がそれぞれ連結されて係合する左右一対のフレーム側係合リング部(32,32c,42,52,102)を備え、且つ、左右の前記フレーム側係合リング部(32,32c,42,52,102)に左右の前記台座側係合リング部(24,24c,94) がそれぞれ連結されることにより前記台座部(20,90) 及び前記宝石(10)が前記フレーム部(30,40,50,100)に対して揺動可能に支持される身飾品において、
前記台座側係合リング部(24,24c,94) 及び前記フレーム側係合リング部(32,32c,42,52,102)が相互に連結された状態で、少なくとも前記フレーム側係合リング部(32,32c,42,52,102)と、前記台座側係合リング部(24,24c,94) の前記フレーム側係合リング部(32,32c,42,52,102)に対する連結部分とを外側から保護する保護部材(31,31a,41,60,103)を有してなることを特徴とする身飾品。
【請求項２】
前記保護部材(31,31a,41,60,103)により、前記フレーム側係合リング部(32,42,52,102)及び前記台座側係合リング部(24,94) の全体が保護されてなる請求項１記載の身飾品。
【請求項３】
前記台座側係合リング部(24c) における前記連結部分以外の少なくとも一部が露出してなる請求項１記載の身飾品。
【請求項４】
前記保護部材(31,31a,41) は、前記台座側係合リング部(24,24c)及び前記フレーム側係合リング部(32,32c,42) の正面を保護するフロントパーツ(36,46) と、前記台座側係合リング部(24,24c)及び前記フレーム側係合リング部(32,32c,42) の背面を保護するとともに前記フロントパーツ(36,46) に固定されるリアパーツ(37,47) とを有してなる請求項１〜３のいずれかに記載の身飾品。
【請求項５】
前記フロントパーツ(36)と前記リアパーツ(37)とは表裏対称的な形状を有してなる請求項４記載の身飾品。
【請求項６】
前記保護部材(31,31a,41,103) は、連結された一方の前記台座側係合リング部(24,24c,94) 及び前記フレーム側係合リング部(32,32c,42,102) と、連結された他方の前記台座側係合リング部(24,24c,94) 及び前記フレーム側係合リング部(32,32c,42,102) とを同時に保護する単一の一体的な形状を有してなる請求項１〜５のいずれかに記載の身飾品。
【請求項７】
前記保護部材(31,31a,41,103) は、前記フレーム部(30,40,100) の少なくとも一部を構成し、
前記保護部材(31,31a,41,103)の内面に、前記フレーム側係合リング部(32,32c,42,102)が固定されてなる、
請求項１〜６のいずれかに記載の身飾品。
【請求項８】
前記保護部材(31,31a,41) は、中空形状を有してなる請求項１〜７のいずれかに記載の身飾品。
【請求項９】
宝石(10)を固定保持する台座部(20,90) と、前記台座部(20,90) を支持するフレーム部(30,40,50,100)とを有し、前記台座部(20,90) は、前記宝石(10)を挟んで相対する位置に配される左右一対の台座側係合リング部(24,24c,94) を備え、前記フレーム部(30,40,50,100)は、左右の前記台座側係合リング部(24,24c,94) がそれぞれ連結されて係合する左右一対のフレーム側係合リング部(32,32c,42,52,102)を備え、且つ、左右の前記フレーム側係合リング部(32,32c,42,52,102)に左右の前記台座側係合リング部(24,24c,94) がそれぞれ連結されることにより前記台座部(20,90) 及び前記宝石(10)が前記フレーム部(30,40,50,100)に対して揺動可能に支持される身飾品において、
前記フレーム部(30,40,50,100)は、前記台座側係合リング部(24,24c,94) 及び前記フレーム側係合リング部(32,32c,42,52,102)が相互に連結された状態で、少なくとも前記フレーム側係合リング部(32,32c,42,52,102)と、前記台座側係合リング部(24,24c,94) の前記フレーム側係合リング部(32,32c,42,52,102)に対する連結部分とを内部に収容して外側から保護する収容室(34,104)を有してなることを特徴とする身飾品。
【請求項１０】
前記収容室(34,104)に、前記フレーム側係合リング部(32,42,52,102)及び前記台座側係合リング部(24,94) の全体が収容されてなる請求項９記載の身飾品。
【請求項１１】
前記台座側係合リング部(24c) における前記連結部分以外の少なくとも一部が露出してなる請求項９記載の身飾品。
【請求項１２】
前記フレーム部(30,40) のフレーム本体部(31,31a,41) は、前記台座側係合リング部(24,24c)及び前記フレーム側係合リング部(32,32c,42) の正面を保護するフロントパーツ(36,46) と、前記台座側係合リング部(24,24c)及び前記フレーム側係合リング部(32,32c,42) の背面を保護するとともに前記フロントパーツ(36,46) に固定されるリアパーツ(37,47) とを有し、
前記フロントパーツ(36,46) と前記リアパーツ(37,47) とは表裏対称的な形状を有し、
前記フレーム本体部(31,31a,41) は、前記収容室(34)を形成する中空の形状を有してなる、
請求項９〜１１のいずれかに記載の身飾品。
【請求項１３】
前記フレーム部(30,40,50,100)は、前記台座部(20,90)の一部を挿通させる挿通開口部(35,35b)を有し、
前記挿通開口部(35,35b)は、前記台座部(20)及び前記宝石(10)の揺動を許容すると同時に、前記台座部(20)及び前記宝石(10)の揺動範囲を規制する大きさを有してなる、
請求項１〜１２のいずれかに記載の身飾品。
【請求項１４】
前記フレーム部(30,40,50,100)は、前記身飾品を正面側から見たとき、前記台座部(20,90) に保持された前記宝石(10)の外周を取り囲み、且つ、前記宝石(10)との間に隙間のある形状を有してなる請求項１〜１３のいずれかに記載の身飾品。
【請求項１５】
前記身飾品の側面視において、前記身飾品の表裏方向に関し、前記フレーム部(30,40,50)の裏側端面は、揺動可能な前記宝石(10)の裏面側先端部の位置よりも更に裏側の位置に配されてなる請求項１〜１４のいずれかに記載の身飾品。
【発明の詳細な説明】
【技術分野】
【０００１】
本発明は、宝石を用いたペンダントやピアスなどの身飾品に関し、特に、宝石とその宝石を固定保持する台座部とがフレーム部に対して揺動可能に配されることによって宝石をより輝いて見せることが可能な身飾品に関する。
【背景技術】
【０００２】
ペンダント（ネックレス）やピアスなどの身飾品においては、ダイヤモンドなどの宝石が台座部に保持されるとともに、その宝石及び台座部が小さく揺動するように配されるものが知られている。このように台座部に保持された宝石が小さく揺動することにより、宝石が止まっているときよりもキラキラと輝いて見えるため、宝石の美しさが更に強調される。
【０００３】
このように宝石が揺動可能に配される身飾品が、例えば特開２０１５−５４１６２号公報（特許文献１）に記載されており、実施形態の１つとして、ペンダントのチェーンに取り付けられるペンダントトップが開示されている。ここで、特許文献１のペンダントトップについて、図１９及び図２０を参照しながら簡単に説明する。
【０００４】
図１９及び図２０に示したペンダントトップ７０は、宝石であるダイヤモンド７１を固定して保持する台座部７２と、その台座部７２を支持するフレーム部８１とを有する。台座部７２は、ダイヤモンド（宝石）７１が保持される台座本体部７３と、台座本体部７３の左右両側から幅方向の外側に向けて延出する左右のアーム部７４と、アーム部７４の先端部に配される左右の環状の台座側係合リング部７５とを有する。また、台座本体部７３には、ダイヤモンド７１を固定するための複数の爪部７６が設けられている。
【０００５】
左右のアーム部７４及び台座側係合リング部７５は、ペンダントトップ７０の側面視において、そのリング部７５の正面及び背面の向きが、台座部７２に保持されるダイヤモンド７１のテーブル表面に対して傾斜するようにして配されている。特に特許文献１では、台座側係合リング部７５の正面及び背面が重力方向と平行になるときに（台座側係合リング部７５の中央開口部が水平方向に向くときに）、台座部７２に保持されるダイヤモンド７１のテーブル表面が斜め上方を向くように配されている。
【０００６】
また、特許文献１の台座部７２は、台座側係合リング部７５がフレーム部８１の後述するフレーム側係合リング部８２に連結されてフレーム部８１に支持されたときに、ペンダントトップ７０の側面視において、台座側係合リング部７５がフレーム側係合リング部８２と接触する接点の位置が、宝石７１及び台座部７２の全体における重心の位置に対し、重力方向の上方に配されるように形成されている。
【０００７】
特許文献１のフレーム部８１は、正面視にて逆Ｖ字状を呈するフレーム本体部８３と、フレーム本体部８３の左右下端部の裏面に設けられる左右のフレーム側係合リング部８２とを有する。また、フレーム本体部８３の上端部には、ペンダントのチェーンを連結するためのチェーン連結孔部８４が、左右方向（ペンダントトップ７０の幅方向）に貫通するように設けられている。
【０００８】
左右のフレーム側係合リング部８２は、ペンダントトップ７０がチェーンにぶら下げられたときに、フレーム側係合リング部８２の中央開口部が左右方向に向くようにフレーム本体部８３に一体的に形成されている。このような左右のフレーム側係合リング部８２には、台座部７２における左右の台座側係合リング部７５がそれぞれ連結されて係合する。この場合、フレーム側係合リング部８２と台座側係合リング部７５とは、相手方の中央開口部を互いに貫通するとともに内周縁部同士を接触させるようにして相互に係合する。
【０００９】
このような特許文献１のペンダントトップ７０では、台座部７２が、フレーム部８１における左右のフレーム側係合リング部８２の内周縁部に、左右の台座側係合リング部７５が内周縁部を接触させて引っ掛かるようにしてフレーム部８１に保持される。これにより、例えばペンダントトップ７０を動かしたときや揺らしたとき等に、台座部７２と台座部７２に保持されたダイヤモンド７１とを、フレーム部８１に吊り下げられた状態で前後方向に小さく揺動させることが可能となる。このようにダイヤモンド７１が小さく揺動することによって、ダイヤモンド７１をより美しく輝かせることができる。
【００１０】
特に特許文献１のペンダントトップ７０では、ペンダントを形成したときに、ダイヤモンド７１のテーブル表面が斜め上方を向くように台座部７２がフレーム部８１に支持される。それにより、そのペンダントを着用した使用者の胸元で、ダイヤモンド７１のテーブル表面が他人の目線に入り易いようにしてダイヤモンド７１をより効果的に輝かせることができる。
【００１１】
更に特許文献１には、台座側係合リング部７５及びフレーム側係合リング部８２の一方又は両方を、その周方向に直交する断面の形状が内周端縁に向けて細くなる形状を有するように形成することが記載されている。これにより、台座側係合リング部７５とフレーム側係合リング部８２とを係合したときに両部材の接触面積を小さくして、台座部７２の揺動時の摩擦抵抗を小さくできるため、宝石７１が揺動する時間をより長く延ばすことができる。
【先行技術文献】
【特許文献】
【００１２】
【特許文献１】特開２０１５−５４１６２号公報
【発明の概要】
【発明が解決しようとする課題】
【００１３】
特許文献１に記載されているペンダントトップ７０では、上述したように、台座部７２が、台座側係合リング部７５及びフレーム側係合リング部８２を介してフレーム部８１に支持されていることにより、台座部７２に保持されている宝石７１を細かく揺動させることが可能である。
【００１４】
しかし、特許文献１のペンダントトップ７０の場合、台座部７２の台座側係合リング部７５が、前方（正面側）、後方（背面側）、上方、下方、及びペンダントトップ７０の幅方向（左右方向）における外側方のそれぞれの方向に露出した剥き出しの状態で配されている。また、フレーム部８１のフレーム側係合リング部８２は、その前面（正面）側がフレーム本体部８３によって覆い隠されているものの、フレーム側係合リング部８２の後方（背面側）、上方、下方、及び幅方向の外側方とが露出した状態で配されている。
【００１５】
このため、そのペンダントトップ７０にチェーンを取り付けてペンダントとして使用したときに、台座側係合リング部７５やフレーム側係合リング部８２が、外部に露出していることにより、別の物体（物品）にぶつかったり、衝突したりすることがあり、それよって、思いがけない荷重（外力）を局部的に受ける可能性や、偶発的に強く押圧されて大きな荷重を受ける可能性がある。
【００１６】
一方、このペンダントトップ７０において、台座側係合リング部７５及びフレーム側係合リング部８２により宝石７１を揺動させる構造は、小さく且つ繊細に形成されているため、変形に対して弱いという性質を備える。従って、上述のように台座側係合リング部７５やフレーム側係合リング部８２が、外部から力（外力）を局部的に又は強く受けると、台座側係合リング部７５やフレーム側係合リング部８２に歪みなどの変形が生じ易く、その結果、上述のような宝石７１の細かな揺動運動が円滑に行えなくなる又は不能になるといった不具合や、台座部７２がフレーム部８１から外れるといった不具合が引き起こされる虞がある。
【００１７】
また、ペンダントトップ７０の台座側係合リング部７５やフレーム側係合リング部８２が外部に露出していると、これらの台座側係合リング部７５やフレーム側係合リング部８２に、使用者の髪の毛や、衣類やマフラーなどの糸が絡み付くことが考えられる。このように台座側係合リング部７５やフレーム側係合リング部８２に糸などが絡み付いたまま放置されてしまうと、宝石７１の細かな揺動運動が阻害される場合もある。
【００１８】
更に、台座側係合リング部７５やフレーム側係合リング部８２が外側に露出して配されることにより、ペンダントトップ７０のデザインが制約され、デザインのバリエーションを増やし難いという欠点もあった。
【００１９】
本発明は上記従来の課題に鑑みてなされたものであって、その具体的な目的は、台座部とフレーム部を連結する台座側係合リング部及びフレーム側係合リング部が外力を直接受けることを防ぎ、台座部に保持される宝石が細かく揺動可能な状態を長期に亘って安定して維持することが可能な身飾品を提供することにある。
【課題を解決するための手段】
【００２０】
上記目的を達成するために、本発明により提供される身飾品は、宝石を固定保持する台座部と、前記台座部を支持するフレーム部とを有し、前記台座部は、前記宝石を挟んで相対する位置に配される左右一対の台座側係合リング部を備え、前記フレーム部は、左右の前記台座側係合リング部がそれぞれ連結されて係合する左右一対のフレーム側係合リング部を備え、且つ、左右の前記フレーム側係合リング部に左右の前記台座側係合リング部がそれぞれ連結されることにより前記台座部及び前記宝石が前記フレーム部に対して揺動可能に支持される身飾品において、前記台座側係合リング部及び前記フレーム側係合リング部が相互に連結された状態で、少なくとも前記フレーム側係合リング部と、前記台座側係合リング部の前記フレーム側係合リング部に対する連結部分とを外側から保護する保護部材を有してなることを最も主要な特徴とするものである。
【００２１】
このような本発明の身飾品において、前記保護部材により、前記フレーム側係合リング部及び前記台座側係合リング部の全体が保護されることが好ましい。
また、前記台座側係合リング部における前記連結部分以外の少なくとも一部が露出していても良い。
【００２２】
また本発明の身飾品において、前記保護部材は、前記台座側係合リング部及び前記フレーム側係合リング部の正面を保護するフロントパーツと、前記台座側係合リング部及び前記フレーム側係合リング部の背面を保護するとともに前記フロントパーツに固定されるリアパーツとを有することが好ましい。
この場合、前記フロントパーツと前記リアパーツとは表裏対称的な形状を有することが特に好ましい。
【００２３】
また本発明の身飾品において、前記保護部材は、連結された一方の前記台座側係合リング部及び前記フレーム側係合リング部と、連結された他方の前記台座側係合リング部及び前記フレーム側係合リング部とを同時に保護する単一の一体的な形状を有することが好ましい。
更に、前記保護部材は、前記フレーム部の少なくとも一部を構成し、前記保護部材の内面に、前記フレーム側係合リング部が固定されることが好ましい。
更にまた、前記保護部材は、中空形状を有することが好ましい。
【００２４】
本発明により更に提供される身飾品は、宝石を固定保持する台座部と、前記台座部を支持するフレーム部とを有し、前記台座部は、前記宝石を挟んで相対する位置に配される左右一対の台座側係合リング部を備え、前記フレーム部は、左右の前記台座側係合リング部がそれぞれ連結されて係合する左右一対のフレーム側係合リング部を備え、且つ、左右の前記フレーム側係合リング部に左右の前記台座側係合リング部がそれぞれ連結されることにより前記台座部及び前記宝石が前記フレーム部に対して揺動可能に支持される身飾品において、前記フレーム部は、前記台座側係合リング部及び前記フレーム側係合リング部が相互に連結された状態で、少なくとも前記フレーム側係合リング部と、前記台座側係合リング部の前記フレーム側係合リング部に対する連結部分とを内部に収容して外側から保護する収容室を有してなることを最も主要な特徴とするものである。
【００２５】
このような別の形態に係る身飾品において、前記収容室に、前記フレーム側係合リング部及び前記台座側係合リング部の全体が収容されることが好ましい。
また、前記台座側係合リング部における前記連結部分以外の少なくとも一部が露出していても良い。
【００２６】
また別の形態に係る身飾品において、前記フレーム部のフレーム本体部は、前記台座側係合リング部及び前記フレーム側係合リング部の正面を保護するフロントパーツと、前記台座側係合リング部及び前記フレーム側係合リング部の背面を保護するとともに前記フロントパーツに固定されるリアパーツとを有し、前記フロントパーツと前記リアパーツとは表裏対称的な形状を有し、前記フレーム本体部は、前記収容室を形成する中空の形状を有することが好ましい。
【００２７】
更に、前記フレーム部は、前記台座部の一部を挿通させる挿通開口部を有し、前記挿通開口部は、前記台座部及び前記宝石の揺動を許容すると同時に、前記台座部及び前記宝石の揺動範囲を規制する大きさを有することが好ましい。
【００２８】
また本発明の身飾品において、前記フレーム部は、前記身飾品を正面側から見たとき、前記台座部に保持された前記宝石の外周を取り囲み、且つ、前記宝石との間に隙間のある形状を有することが好ましい。
更に、前記身飾品の側面視において、前記身飾品の表裏方向に関し、前記フレーム部の裏側端面は、揺動可能な前記宝石の裏面側先端部の位置よりも更に裏側の位置に配されて
いることが好ましい。
【発明の効果】
【００２９】
本発明に係る身飾品は、宝石を固定保持する台座部と、その台座部を揺動可能に支持するフレーム部とを有する。台座部は、宝石を挟むようにして相対する反対側の位置に配されるとともに少なくとも一部が円弧状（好ましく環状）に形成される左右一対の台座側係合リング部を備える。フレーム部は、少なくとも一部が円弧状（好ましく環状）に形成されるとともに台座側係合リング部がそれぞれ連結される左右一対のフレーム側係合リング部を備える。なお、本発明において、身飾品に用いられる宝石には、ダイヤモンドやサファイアなどの天然宝石（天然鉱物）が含まれるだけでなく、合成した鉱物を使用する合成宝石（人工宝石）や、ガラスなどを使用する模倣宝石なども含まれる。
【００３０】
また、本発明の身飾品は、台座部の台座側係合リング部とフレーム部のフレーム側係合リング部とがそれぞれの内周端縁部同士を接触させるように連結された状態で、これらの台座側係合リング部とフレーム側係合リング部とを外側から囲んで保護する保護部材を有する。
【００３１】
この場合、保護部材は、少なくとも、フレーム側係合リング部と、台座側係合リング部におけるフレーム側係合リング部に対する連結部分とを外側から保護するように形成される。ここで、台座側係合リング部における上述の連結部分とは、台座側係合リング部のフレーム側係合リング部が連結されて接触するリング部分であり、この連結部分（リング部分）は、宝石を後述するように微小に揺動させたときにフレーム側係合リング部の内周縁部が摺接する範囲（領域）を含む。
【００３２】
また本発明の保護部材は、揺動する台座部と干渉しないように、台座部の揺動可能範囲を除いて、連結状態にある台座側係合リング部及びフレーム側係合リング部との外側に、これらを保護するように配される。具体的には、保護部材は、フレーム側係合リング部と台座側係合リング部の上述した連結部分とにおける少なくとも正面側、背面側、上面側、下面側、及び幅方向の外側面側を保護するように配される。この場合、保護部材は、保護部材のみで台座側係合リング部及びフレーム側係合リング部を保護しても良いし、また、保護部材と、その保護部材とは別に形成されるフレーム部の一部とによって、台座側係合リング部及びフレーム側係合リング部を保護しても良い。
【００３３】
このような保護部材を有する本発明の身飾品であれば、台座部が、フレーム部に対し、台座側係合リング部及びフレーム側係合リング部を介して揺動可能に安定して支持される。また、少なくとも台座側係合リング部の上述した連結部分と、フレーム側係合リング部とが、保護部材によって覆われて外部に露出しないように保護される。このため、台座側係合リング部とフレーム側係合リング部とが相互に連結して宝石の微小な揺動を可能にする連結構造部分が、別の物体に直接衝突すること等によって意図しない外力を受けることを、シンプルな構造で防止できる。
【００３４】
このため、身飾品の通常の使用では、台座側係合リング部及びフレーム側係合リング部における上述の連結構造部分がダメージを受けて変形することを効果的に防止して、これらの形状を安定して維持できる。その結果、台座側係合リング部やフレーム側係合リング部の変形に起因して宝石の細かな揺動運動が不能になるという不具合や、台座部がフレーム部から外れるという不具合が生じることを防いで、台座部及び宝石が細かく円滑に揺動可能な状態を長期に亘って安定して維持することができる。
【００３５】
また、台座側係合リング部及びフレーム側係合リング部が保護部材によって保護されることにより、髪の毛や糸などを台座側係合リング部やフレーム側係合リング部に絡み付き難くすることができる。それにより、身飾品の取り扱い性を向上させることができるとともに、糸などの絡み付きによって台座部及び宝石の揺動運度が阻害されることも防止できる。
【００３６】
更に、台座側係合リング部及びフレーム側係合リング部を保護部材で被覆して外部から見えないように又は見え難いように隠せることにより、身飾品のデザインに対する制約が軽減されるため、デザインの自由度が拡大し、デザインのバリエーションを容易に増大させることが可能となる。
【００３７】
このような本発明の身飾品において、上述した保護部材により、フレーム側係合リング部の全体と台座側係合リング部の全体とが保護される。これにより、連結状態にある台座側係合リング部及びフレーム側係合リング部の全体における少なくとも正面側、背面側、上面側、下面側、及び幅方向の外側面側を、外部に露出しないように保護部材で覆って、安定して保護することができる。このため、連結状態の台座側係合リング部及びフレーム側係合リング部が、別の物体に直接衝突すること等によって意図しない外力を受けることを確実に防止し、台座部及び宝石の微小な揺動可能状態を長期に亘ってより安定して維持することができる。
【００３８】
また本発明の身飾品においては、台座側係合リング部における連結部分以外の少なくとも一部が露出するようにして、保護部材でフレーム側係合リング部及び台座側係合リング部を保護することも可能である。これによっても、台座部及び宝石の微小な揺動可能状態を長期に亘って安定して維持することができる。
【００３９】
このような本発明の身飾品において、保護部材は、台座側係合リング部及びフレーム側係合リング部の正面側に配されてこれらを保護するフロントパーツ（第１パーツ）と、台座側係合リング部及びフレーム側係合リング部の背面側に配されてこれらを保護するとともにフロントパーツに固定されるリアパーツ（第２パーツ）とを有する。
【００４０】
このようなフロントパーツとリアパーツとを有する保護部材を用いることにより、保護部材を簡単な構造で形成できる。また、台座部に配される左右の台座側係合リング部を、フレーム部に配される左右のフレーム側係合リング部にそれぞれ連結してから、これらのリング部を保護するようにしてフロントパーツとリアパーツとを相互に固定して保護部材を形成することができる。これにより、台座部及び宝石が揺動可能に配され、且つ、台座側係合リング部及びフレーム側係合リング部が保護部材で保護される身飾品を容易に且つ安定して製造することができる。
【００４１】
この場合、フロントパーツとリアパーツとは表裏対称的な形状を有することにより、フロントパーツ及びリアパーツとして、同じ形状及び同じ材質を有するパーツ（部品）を用いることができる。それにより、保護部材のフロントパーツ及びリアパーツを安価に作製することができる。また、保護部材を身飾品に取り付ける（組み付ける）際に、フロントパーツとリアパーツとを取り間違えることが生じないため、保護部材の取り付け作業が煩雑化することを防いで、取り付け作業を効率的に行うことが可能となる。なお本発明では、フロントパーツとリアパーツとに、互いに形状が全く異なるパーツや、互いに材質が全く異なるパーツを使用することも可能である。
【００４２】
また本発明の身飾品において、保護部材は、左右に配される一対の台座側係合リング部及びフレーム側係合リング部に対し、連結された一方の台座側係合リング部及びフレーム側係合リング部を保護するとともに、連結された他方の台座側係合リング部及びフレーム側係合リング部を同時に保護する単一の一体的な形状を有して形成される。これにより、保護部材を簡単な構造で形成できる。また、保護部材を、左右の台座側係合リング部及びフレーム側係合リング部の外側に容易に且つ安定して取り付けることができ、それによって、台座側係合リング部及びフレーム側係合リング部が安定して保護される。
【００４３】
更に、本発明の保護部材は、フレーム部の少なくとも一部を構成するように、具体的には、フレーム部のフレーム本体部を構成するように形成される。この場合、保護部材の内面に、フレーム側係合リング部が固定される。これにより、フレーム部を簡単な構造で形成できるとともに、フレーム部を構成する保護部材によって、連結状態にある台座側係合リング部とフレーム側係合リング部とを確実に保護できる。なお本発明において、保護部材はフレーム部の一部として形成されず、フレーム部が、フレーム本体部とフレーム側係合リング部とを有する部材として保護部材とは別に形成されていても良い。
【００４４】
また、本発明の保護部材は、中空形状を有する。これにより、保護部材の内側に、連結状態の台座側係合リング部とフレーム側係合リング部とを安定して収容して保護できる。また、中空形状の保護部材は、例えば金属製の薄板材にプレス加工等を行うことによって安定して形成可能であるとともに、例えば内部が埋められている中実の保護部材に比べて原料コストを低く抑えることができる。
【００４５】
次に、本発明の別の形態に係る身飾品は、宝石を固定保持する台座部と、その台座部を揺動可能に支持するフレーム部とを有する。台座部は、宝石を挟むようにして相対する反対側の位置に配されるとともに少なくとも一部が円弧状（好ましく環状）に形成される左右一対の台座側係合リング部を備える。フレーム部は、少なくとも一部が円弧状（好ましく環状）に形成されるとともに台座側係合リング部がそれぞれ連結される左右一対のフレーム側係合リング部を備える。
【００４６】
本発明のフレーム部は、台座部の台座側係合リング部とフレーム部のフレーム側係合リング部とがそれぞれの内周端縁部同士を接触させるように連結された状態で、少なくともフレーム側係合リング部と、台座側係合リング部のフレーム側係合リング部に対する連結部分とを内部に収容して外側から保護する収容室を有する。この場合、収容室を有するフレーム部は、揺動する台座部と干渉しないように、台座部の揺動可能範囲を除いて、連結状態にある台座側係合リング部及びフレーム側係合リング部との外側に、これらを保護するように配される。
【００４７】
このようにフレーム部が収容室を有する本発明の身飾品であれば、台座部が、フレーム部に対し、台座側係合リング部及びフレーム側係合リング部を介して揺動可能に安定して支持される。また、少なくとも台座側係合リング部の上述した連結部分と、フレーム側係合リング部とがフレーム部の収容室内に収容されて、外部に露出しないように保護される。このため、台座側係合リング部とフレーム側係合リング部とが相互に連結して宝石の微小な揺動を可能にする連結構造部分が、別の物体に直接衝突すること等によって意図しない外力を受けることを、シンプルな構造で防止できる。
【００４８】
このため、身飾品の通常の使用では、台座側係合リング部及びフレーム側係合リング部における上述の連結構造部分がダメージを受けて変形することを効果的に防止して、これらの形状を安定して維持できる。その結果、台座側係合リング部やフレーム側係合リング部の変形に起因して宝石の細かな揺動運動が不能になるという不具合や、台座部がフレーム部から外れるという不具合が生じることを防いで、台座部及び宝石が細かく円滑に揺動可能な状態を長期に亘って安定して維持することができる。
【００４９】
また、台座側係合リング部及びフレーム側係合リング部がフレーム部の収容室内に収容されて保護されることにより、髪の毛や糸などを台座側係合リング部やフレーム側係合リング部に絡み付き難くすることができる。それにより、身飾品の取り扱い性を向上させることができるとともに、糸などの絡み付きによって台座部及び宝石の揺動運度が阻害されることも防止できる。
【００５０】
更に、台座側係合リング部及びフレーム側係合リング部をフレーム部の収容室内に保持して外部から見えないように又は見え難いように隠せることにより、身飾品のデザインに対する制約が軽減されるため、デザインの自由度が拡大し、デザインのバリエーションを容易に増大させることが可能となる。
【００５１】
このような本発明の身飾品において、フレーム部の収容室内にフレーム側係合リング部及び台座側係合リング部の全体が収容されることにより、フレーム側係合リング部の全体と台座側係合リング部の全体とがフレーム部により保護される。これによって、連結状態にある台座側係合リング部及びフレーム側係合リング部の全体における少なくとも正面側、背面側、上面側、下面側、及び幅方向の外側面側を、外部に露出しないように隠して安定して保護することができる。このため、連結状態の台座側係合リング部及びフレーム側係合リング部が、別の物体に直接衝突すること等によって意図しない外力を受けることを確実に防止し、台座部及び宝石の微小な揺動可能状態を長期に亘ってより安定して維持することができる。
【００５２】
また本発明の身飾品においては、台座側係合リング部における連結部分以外の少なくとも一部が露出するようにして、フレーム部の収容室内にフレーム側係合リング部及び台座側係合リング部を収容することも可能である。これによっても、台座部及び宝石の微小な揺動可能状態を長期に亘って安定して維持することができる。
【００５３】
更に本発明の身飾品において、フレーム部のフレーム本体部は、台座側係合リング部及びフレーム側係合リング部の正面を保護するフロントパーツと、台座側係合リング部及びフレーム側係合リング部の背面を保護するとともにフロントパーツに固定されるリアパーツとを有する。また、これらのフロントパーツとリアパーツとは表裏対称的な形状を有する。更に、フレーム本体部は、収容室を形成する中空の形状を有する。
【００５４】
このようにフレーム部のフレーム本体部がフロントパーツとリアパーツとを有することにより、左右の台座側係合リング部を左右のフレーム側係合リング部にそれぞれ連結してから、これらのリング部を保護するようにしてフロントパーツとリアパーツとを相互に固定してフレーム本体部を形成できる。このため、台座側係合リング部及びフレーム側係合リング部を簡単な構造で安定して保護できる。また、中空形状のフレーム本体部は、例えば金属製の薄板材にプレス加工等を行うことによって安定して形成可能であるとともに、例えば内部が埋められている中実のフレーム本体部に比べて原料コストを低く抑えることができる。
【００５５】
更に本発明のフレーム部は、台座部の一部を挿通させる挿通開口部を有する。また、フレーム部の挿通開口部は、台座部及び宝石の揺動を許容すると同時に、台座部及び宝石の揺動範囲を規制する大きさを有する。これにより、台座部及び宝石が細かく円滑に揺動可能な状態を安定して維持できる。また、フレーム部で台座部及び宝石の揺動可能範囲が規制されることにより、正面から見たときに綺麗に光って見える範囲で宝石を適切に揺動させることができるため、揺動による装飾効果をより有効に得ることが可能となる。
【００５６】
更に、本発明の身飾品において、フレーム部は、身飾品を正面側から見たとき、台座部に保持された宝石の外周を取り囲み、且つ、その宝石との間に隙間を設ける形状を有する。これにより、フレーム部（保護部材）で台座部及び宝石の周りを全体的に保護できる。また、台座部及び宝石の外周近傍に配されたフレーム部に対して、宝石が宙に浮いた状態に見えるとともに、台座部及び宝石が細かく揺動することにより、宝石の揺れが強調され易くなる。その結果、台座部に保持された宝石の輝きがより美しく見え、身飾品の装飾効果や高級感をより効果的に高めることができ、また、身飾品が、今までにない斬新なイメージ（美感）を備えることも可能となる。更に、台座部及び宝石の周りにフレーム部が配されることにより、台座部及び宝石が揺動するときに、台座部及び宝石を使用者の衣類等に接触させ難くして、衣類等の接触によって台座部及び宝石の揺動が停止することを抑制できる。
【００５７】
また本発明では、身飾品が重力に従ってぶら下げられた状態において、又は、身飾品の通常の使用において、その身飾品を側面側から見たときに、身飾品の表裏方向に関し、フレーム部の裏側端面は、揺動可能な宝石の裏面側先端部の位置よりも更に裏側の位置に配されている。これにより、身飾品を身に着けたときに宝石（特に宝石の裏面側先端部）が衣服等に直接接触することを防いで、衣類等の接触によって台座部及び宝石の揺動が停止することをより効果的に抑制できる。このため、台座部及び宝石の揺動を長い時間で自然に持続させることができる。
【図面の簡単な説明】
【００５８】
【図１】本発明の実施例１に係るペンダントトップを示す正面図である。
【図２】ペンダントトップの背面図である。
【図３】ペンダントトップの側面図である。
【図４】ペンダントトップに配される台座部を、宝石が保持されていない状態で、宝石を保持する背面（裏面）側から見たときの模式図である。
【図５】ペンダントトップに配されるフレーム部（保護部材）を示す断面図である。
【図６】フレーム部のフレーム側係合リング部に対して台座部の台座側係合リング部が係合している状態を模式的に説明する説明図である。
【図７】実施例１のペンダントトップが胸元に吊り下げられている状態を模式的に示す模式図である。
【図８】実施例１の変形例に係るペンダントトップのフレーム部（保護部材）を示す断面図である。
【図９】実施例１の別の変形例に係るペンダントトップを示す正面図である。
【図１０】実施例１の更に別の変形例に係るペンダントトップを示す正面図である。
【図１１】本発明の実施例２に係るペンダントトップを示す正面図である。
【図１２】ペンダントトップの側面図である。
【図１３】本発明の実施例３に係るペンダントトップを示す正面図である。
【図１４】ペンダントトップの側面図である。
【図１５】ペンダントトップのフレーム部に保護部材が固定されている部分を幅方向の内側から見たときの拡大模式図である。
【図１６】本発明の実施例４に係る指輪を示す正面図である。
【図１７】指輪に用いられる台座部を示す模式斜視図である。
【図１８】指輪の要部を模式的に示す模式図である。
【図１９】従来のペンダントトップの正面図である。
【図２０】従来のペンダントトップの側面図である。
【発明を実施するための形態】
【００５９】
以下、本発明の好適な実施の形態について、実施例を挙げて図面を参照しながら詳細に説明する。なお、本発明は、以下で説明する各実施例に限定されるものではなく、本発明と実質的に同一な構成を有し、かつ、同様な作用効果を奏しさえすれば、多様な変更が可能である。
【実施例１】
【００６０】
図１は、本実施例１に係るペンダントトップを示す正面図である。図２及び図３は、そのペンダントトップの背面図及び側面図である。
なお、以下のペンダントトップに関する説明において、上下方向及び左右方向とは、ペンダントトップをペンダントのチェーンに取り付けて持ち上げた状態のときの上下方向及び左右方向を言う。また、前方及び後方とは、ペンダントが着用されたときのペンダントトップの正面側の方向及び背面側の方向を言う。
【００６１】
本実施例１に係るペンダントトップ１は、チェーン５等の紐状部材に取り付けられることにより、身飾品としてのペンダント（又はネックレス）が形成される。本実施例１のペンダントトップ１は、宝石１０としてダイヤモンドが固定保持される台座部２０と、その台座部２０及び宝石（ダイヤモンド）１０を支持するフレーム部３０とを有する。また、本実施例１のフレーム部３０の一部（後述するフレーム本体部３１）は、以下に説明するように保護部材としても形成されている。
【００６２】
本実施例１の台座部２０は、宝石１０が載置される台座本体部２１と、台座本体部２１に突設され、宝石１０を固定する複数の爪部２２と、台座本体部２１の左右の側縁部（側端部）から台座部２０の幅方向の外側に向けて延出する左右のアーム部２３と、左右のアーム部２３の先端部に配される左右の台座側係合リング部２４とを有する。
【００６３】
本実施例１の台座部２０は、金、プラチナ、シルバー等の貴金属製の板材にプレス加工（プレス打ち抜き加工）等を行うことによって、単一の部材としてその全体が一体的に形成されている。この場合、台座部２０の材質や作製方法は特に限定されない。また、台座本体部２１及び爪部２２の形状や、爪部２２の配設個数なども限定されるものではなく、任意に変更することが可能である。
【００６４】
台座本体部２１の中央部には円形の開口部２１ａが形成されており、宝石１０は、そのキューレット部を台座本体部２１の開口部２１ａから後方に突き出して台座部２０に固定保持される。台座部２０における左右のアーム部２３は、台座本体部２１と左右の台座側係合リング部２４とを連結する連結部分である。左右のアーム部２３は、互いに左右対称的な形状を有し、台座本体部２１から左右方向の外側に延出するとともに前方に傾斜して配されている。このような左右のアーム部２３は、ペンダントトップ１のデザイン等に応じて連結長さを変更することが可能であり、また必要に応じて、左右のアーム部２３を設けずに台座部２０を形成することも可能である。
【００６５】
台座部２０における左右の台座側係合リング部２４は環状に形成されており、その中央部には、円形状の中央開口部２４ａが設けられている。左右の台座側係合リング部２４は、ペンダントトップ１の正面視において両者の間に宝石１０が配されるようにして、台座本体部２１の左右側方の互いに対応する位置に設けられている。本実施例１において、左右の台座側係合リング部２４は、左右のアーム部２３を介して台座本体部２１と一体に形成されている。なお本発明において、左右の台座側係合リング部２４は、台座本体部２１と別部材として形成されて、左右のアーム部２３を介して接続されていても良い。
【００６６】
このような左右の環状の台座側係合リング部２４と、フレーム部３０の後述するフレーム側係合リング部３２とは、互いに相手方の中央開口部を貫通するとともに内周縁部同士を接触させるようにして相互に係合する。また、台座側係合リング部２４は、台座側係合リング部２４の周方向に直交する断面の形状が、円形ではない異形断面形状を呈するように形成されている。具体的には、本実施例１の台座側係合リング部２４は、例えば図６に示すように、台座側係合リング部２４の内周側の先端部が尖るように、周方向に直交する断面の形状が内周端縁に向けて次第に細くなる先細の形状を有して形成されている。
【００６７】
これにより、台座側係合リング部２４を、フレーム部３０のフレーム側係合リング部３２に連結したときに、台座側係合リング部２４とフレーム側係合リング部３２が互いに交差して接触する接触部Ｏにおける台座側係合リング部２４の接触面積を小さくすることができる。その結果、フレーム部３０に対して台座部２０が前後方向に揺動する際に、フレーム側係合リング部３２に対する台座側係合リング部２４の摩擦抵抗を小さく抑えることができるため、台座部２０及び宝石１０をフレーム部３０に対して細かく円滑に揺動させることができる。更に、その台座部２０及び宝石１０の揺動運動を停止させずに比較的長く続けさせて、それらの揺動時間をより長く延ばすことが可能となる。なお本発明において、台座側係合リング部２４の断面形状は限定されるものではなく、台座側係合リング部２４の断面を円形に形成することや、その他の形状に形成することも可能である。
【００６８】
本実施例１の台座部２０は、宝石１０及び台座部２０が台座側係合リング部２４及びフレーム側係合リング部３２を介してフレーム部３０に支持されるときに、ダイヤモンド１０のテーブル表面が斜め上方を向くとともに、ペンダントトップ１の側面視において、台座側係合リング部２４とフレーム側係合リング部３２との接触部Ｏの位置が、台座部２０及び宝石１０の全体の重心位置よりも上方に配されるように、台座部２０に対する台座側係合リング部２４の位置及び向きが設定されている。このとき、台座部２０は、台座側係合リング部２４の中央開口部２４ａが前後方向に向いた姿勢でフレーム部３０に支持される。
【００６９】
またこの場合、ペンダントトップ１の側面視において、台座部２０は、例えばダイヤモンド１０をそのテーブル表面が上下方向に平行となるように正面に向かせたときに、台座部２０及び宝石１０の全体の重心位置が、台座側係合リング部２４とフレーム側係合リング部３２との接触部Ｏの位置よりも背面側（後方）に配されるように形成される。また、左右の台座側係合リング部２４は、ダイヤモンド１０をそのテーブル表面が上下方向に平行となるように正面に向かせたときに、その中央開口部２４ａが斜め下方を向くように保持される。なお本実施例１では、図３に示すように重力に方向に沿って保持されるフレーム部３０に対して宝石１０及び台座部２０が吊り下げられた状態において、ダイヤモンド１０のテーブル表面が斜め上方を向いて傾斜するように台座部２０が形成されることが好ましい。この場合、重力方向に対するダイヤモンド１０のテーブル表面の傾斜角度αが、５°以上４５°以下の角度、好ましくは１０°以上２０°以下の角度となるように台座部２０が形成される。
【００７０】
本実施例１のフレーム部３０は、ペンダントトップ１の正面視において、台座部２０及び宝石１０の周りを囲むように配されるとともに保護部材として設けられるフレーム本体部３１と、フレーム本体部３１の内面に固定される左右のフレーム側係合リング部３２と、フレーム本体部３１の上端部に上方に突出するように設けられ、ペンダントのチェーン５に連結されるチェーン連結部３３（バチカンとも言う）とを有する。この場合、チェーン連結部３３は、レーザー等によるロウ付け（溶着）によってフレーム本体部３１に固定されている。
【００７１】
本実施例１のフレーム本体部３１は、ペンダントトップ１の正面視において、台座部２０及び宝石１０の全体を外側から取り囲むとともに、台座部２０及び宝石１０が揺動しても接触しないように、台座部２０に保持された宝石１０から外側に離間して宝石１０とフレーム本体部３１との間に隙間が形成されるドーナツ状の形状を有する。この場合、フレーム本体部３１は、正面側から見ても、背面側から見ても、同じドーナツ状の形状を呈する表裏対称的な形状を有する。
【００７２】
更に、フレーム本体部３１は、ペンダントトップ１の側面視において、宝石１０の最も背面側に配される裏面側先端部（すなわち、キューレット部）１１が、フレーム本体部３１の裏面位置よりも表面側に位置するような前後方向の厚さを有する。言い換えると、フレーム本体部３１の裏面は、図３に示した状態において、ペンダントトップ１の表裏方向に関して、宝石１０のキューレット部１１の位置よりも更に裏側の位置に配されている。これにより、本実施例１のペンダントトップ１が後述するように身に着けられときに（図７を参照）、宝石１０を、衣服等からペンダントトップ１の表面側に離れた位置に安定して保持することができる。このため、宝石１０の細かな揺動が衣服等への接触によって阻害されることを効果的に防止することができる。
【００７３】
また、本実施例１のフレーム本体部３１は、例えば図５にフレーム本体部３１の左右方向における中央部を、左右方向に直交する面で切断したときの断面図を示すように、所定の厚さを有して形成されている。これによって、フレーム本体部３１は、適切な強度を確保している。また、本実施例１のフレーム本体部３１は、フレーム本体部３１内に内部空間（収容室）３４が形成される中空の形状を有する。
【００７４】
このフレーム本体部３１は、フレーム部３０の一部を構成する部分であるとともに、フレーム側係合リング部３２と台座側係合リング部２４とを外側から囲んで保護する保護部材３１でもある。言い換えると、フレーム側係合リング部３２及び台座側係合リング部２４を保護する保護部材３１が、台座部２０及び宝石１０を支持するフレーム本体部３１として形成されている。
【００７５】
特にこの場合、フレーム本体部（保護部材）３１は、左側で相互に連結される一方のフレーム側係合リング部３２及び台座側係合リング部２４と、右側で相互に連結される他方のフレーム側係合リング部３２及び台座側係合リング部２４とを同時に保護することができる単一の部材として形成されている。
【００７６】
従って、本実施例１にフレーム本体部（保護部材）３１の内部空間３４は、フレーム本体部３１内に、左右のそれぞれのフレーム側係合リング部３２及び台座側係合リング部２４を相互に係合させた状態で収容可能で、且つ、台座部２０及び宝石１０が揺動してもフレーム側係合リング部３２及び台座側係合リング部２４が干渉しない（ぶつからない）大きさを有する。言い換えると、本実施例１にフレーム本体部（保護部材）３１の内部空間３４が、左右一対のフレーム側係合リング部３２及び台座側係合リング部２４を相互に係合させた状態で内部に収容する収容室３４として形成されている。
【００７７】
また、フレーム本体部３１は、その周方向に直交する断面が全周において、前後方向に長い略Ｃ字状を呈する一定の形状を有しており、フレーム本体部３１の内周縁部には、台座部２０及び宝石１０に向くように開口する内周側間隙３５が形成されている。この場合、内周側間隙３５は、リング状のフレーム本体部３１の内周縁部に、フレーム本体部３１の周方向全体に亘って（全周に亘って）形成されている。フレーム本体部３１の内周側間隙３５の一部は、台座部２０の左右のアーム部２３を挿通させる挿通開口部となる。また、フレーム側係合リング部３２は、フレーム本体部３１の湾曲状の内面の一部に接した状態で固定される。なお本発明では、例えば図８にフレーム本体部３１の変形例を示すように、フレーム本体部３１ｂの内周側間隙３５ｂは、台座部２０及び宝石１０の揺動が確保される所定の範囲のみに、台座部２０及び宝石１０に向くように開口して形成されていても良い。
【００７８】
また本実施例１において、フレーム本体部３１の内周側間隙３５は、内周側間隙３５の前後方向における中心位置が、フレーム本体部３１の前後方向における中心位置と一致するように設けられているが、本発明において、内周側間隙３５は、内周側間隙３５の前後方向における中心位置が、フレーム本体部３１の前後方向における中心位置に対して、前方又は後方にずれて設けられていても良い。
【００７９】
このような本実施例１のフレーム本体部（保護部材）３１では、フレーム本体部３１の内面に固定される環状のフレーム側係合リング部３２と、そのフレーム側係合リング部３２に連結して係合する台座側係合リング部２４とを連結した状態でフレーム本体部３１の上記収容室３４内に配置して、これらの係合リング部３２，２４をフレーム本体部（保護部材）３１の内側に収容することにより、連結状態にあるフレーム側係合リング部３２と台座側係合リング部２４の少なくとも正面（前面）、背面（後面）、上面、下面、及び幅方向の外側面を外側から覆って隠すようにして、フレーム側係合リング部３２及び台座側係合リング部２４を全体的に保護することができる。
【００８０】
また、フレーム本体部３１の内周側間隙３５には、台座部２０の左右のアーム部２３が挿通され、内周側間隙３５の一部がアーム部２３の挿通開口部として形成される。この場合、フレーム本体部３１の内周側間隙３５は、ペンダントの通常の使用において、フレーム部３０に対して台座部２０及び宝石１０が例えば前後方向に２０°程度の角度範囲で揺動しても（すなわち、台座部２０及び宝石１０が、図３の状態から前方と後方とに向けてそれぞれ１０°程度の角度範囲で揺動しても）、左右のアーム部２３が干渉し難い（又は干渉しない）大きさ（間隔）で形成されている。
【００８１】
更に、フレーム本体部３１の内周側間隙３５は、フレーム部３０に対して台座部２０及び宝石１０が所定の角度で適切に揺動するように台座部２０及び宝石１０の揺動範囲を規制する大きさで形成されている。すなわち、台座部２０及び宝石１０の揺動がある程度よりも大きくなると、台座部２０及び宝石１０がフレーム本体部３１（後述するフロントパーツ３６又はリアパーツ３７）に当接し、それによって、台座部２０及び宝石１０の揺動範囲が規制される。これにより、台座部２０及び宝石１０の揺動範囲を、ペンダントトップ１を正面から見たときに綺麗に光って見える範囲に収めることができるため、宝石１０の揺動による装飾効果をより有効に得ることが可能となる。
【００８２】
更に、本実施例１のドーナツ状のフレーム本体部３１は、フレーム側係合リング部３２及び台座側係合リング部２４の正面を保護するフロントパーツ３６と、フレーム側係合リング部３２及び台座側係合リング部２４の背面を保護するリアパーツ３７とを有する。この場合、フレーム本体部３１のフロントパーツ３６とリアパーツ３７は表裏対称的な形状を有する。このようなフロントパーツ３６とリアパーツ３７とは、レーザー等によるロウ付けによって相互に固定されている。なお本発明において、フロントパーツ３６とリアパーツ３７を相互に固定する手段は特に限定されない。
【００８３】
また本実施例１において、フレーム本体部３１のフロントパーツ３６とリアパーツ３７は、金、プラチナ、シルバー等の貴金属製の板材にプレス加工（プレス打ち抜き加工）等を行うことによって、例えば０．５ｍｍ以下（好ましくは０．１ｍｍ以下）の厚さを有するように作製されている。
【００８４】
このようにフロントパーツ３６とリアパーツ３７の２つの部品を用いて中空形状のフレーム本体部３１を形成することにより、左右のフレーム側係合リング部３２に左右の台座側係合リング部２４をそれぞれ繋ぎ合わせて係合し、その後、連結された左右のフレーム側係合リング部３２及び台座側係合リング部２４を包むようにしてフロントパーツ３６とリアパーツ３７を組み合わせて固定することが可能となる。それによって、フレーム本体部３１の組み立てを簡単に行うことができるとともに、連結された左右のフレーム側係合リング部３２及び台座側係合リング部２４を、フレーム本体部（保護部材）３１内に、特にフレーム本体部３１の上述した収容室３４内に、安定して収容することができる。
【００８５】
また本実施例１では、フロントパーツ３６とリアパーツ３７とが表裏対称的な形状を有することにより、フロントパーツ３６及びリアパーツ３７として、ドーナツ状の一定の形状を有する同じ部品を用いることができる。それにより、フロントパーツ３６及びリアパーツ３７を安価に作製することができる。また、フロントパーツ３６とリアパーツ３７とを取り間違えることもないため、フロントパーツ３６とリアパーツ３７を組み合わせて固定する作業の煩雑化を防いで、作業の効率化を図ることができる。
【００８６】
なお本発明において、保護部材となるフレーム本体部３１のフロントパーツ３６及びリアパーツ３７の形状及び材質は、本実施例１の形状及び材質に限定されるものではなく、例えば後述する実施例２でも説明するように、任意に変更することが可能である。
【００８７】
本実施例１における左右のフレーム側係合リング部３２は、断面が円形を呈する金属製の線状部材を所定の長さに切断し、更に切断した線状部材をリング状に曲げることにより形成されている。また、台座側係合リング部２４が連結される前のフレーム側係合リング部３２は、台座側係合リング部２４を挿入可能な間隙を有する丸カンの形状を有する。
【００８８】
このため、フレーム側係合リング部３２に台座側係合リング部２４を連結する場合には、フレーム本体部３１のフロントパーツ３６とリアパーツ３７とが相互に固定される前に、先ず、丸カン状のフレーム側係合リング部３２の間隙に台座側係合リング部２４を挿入し、フレーム側係合リング部３２を台座側係合リング部２４の中央開口部２４ａに挿通させて交差させる。次に、フレーム側係合リング部３２が台座側係合リング部２４の中央開口部２４ａに挿通している状態で、フレーム側係合リング部３２をその両端部同士を突き合わせて前記間隙がなくなるように押圧して環状に塑性変形させる（加締める）。
【００８９】
これによって、左右の環状の台座側係合リング部２４を、左右のフレーム側係合リング部３２に、それぞれ容易に連結して係合させることができる。このとき、台座側係合リング部２４とフレーム側係合リング部３２とは内周縁部同士を接触させるようにして繋ぎ合わせられる。更に、本実施例１では、フレーム側係合リング部３２を上述のように塑性変形させた後に、必要に応じて、フレーム側係合リング部３２の突き合わされた端部同士をロウ付けによって固定することも可能である。
【００９０】
また、本実施例１のフレーム側係合リング部３２は、周方向に直交する断面の形状が円形を呈するように形成されている。しかし本発明において、フレーム側係合リング部３２の断面形状は特に限定されるものではなく、フレーム側係合リング部３２の断面形状として、例えば本実施例１の台座側係合リング部２４のような先細の形状等のその他の形状を採用することが可能である。
【００９１】
このような本実施例１の左右のフレーム側係合リング部３２は、フレーム本体部３１のフロントパーツ３６の内面（内壁面）における所定の位置に、フレーム側係合リング部３２の中央開口部が左右方向を向くように、ペンダントトップ１の正面視（図１）において上下方向に平行な姿勢でレーザー等によるロウ付けによって固定されている。左右のフレーム側係合リング部３２がフレーム本体部３１のフロントパーツ３６に固定されることにより、台座部２０と宝石１０とを、ペンダントトップ１のより正面側の位置に安定して保持できるため、宝石１０をより目立たせることができる。
【００９２】
なお本発明において、フレーム側係合リング部３２をフレーム本体部３１に固定する手段は限定されず、ロウ付け以外の固定手段を採用することが可能である。また、本実施例１のフレーム側係合リング部３２は、上述のように上下方向に平行な姿勢でフレーム本体部３１に固定されているが、本発明において、フレーム本体部３１に固定するフレーム側係合リング部３２の向きや姿勢は特に限定されるものではない。本発明では、例えば図１０に後述する変形例のペンダントトップ１ｃの正面図を示すように、フレーム側係合リング部３２ｃを、上下方向に対して傾いた姿勢でフレーム本体部３１に固定することも可能である。更に、本実施例１のフレーム側係合リング部３２は、フレーム本体部３１と別部材で形成されるとともに、フレーム本体部３１に固定手段を用いて固定されるが、本発明では、フレーム側係合リング部３２をフレーム本体部３１と単一の部材として一体に形成することも可能である。
【００９３】
更に本発明において、左右のフレーム側係合リング部３２は、フレーム本体部３１のフロントパーツ３６ではなく、リアパーツ３７の内面に固定されていても良い。また、例えばフレーム側係合リング部３２のサイズを大きくして、フレーム側係合リング部３２をフロントパーツ３６及びリアパーツ３７の両方の内面に固定することや、例えばフレーム側係合リング部３２に固定位置調整用の突片部等を設けてフロントパーツ３６に対する固定位置を調整することも可能である。更に、上述したようなフレーム側係合リング部３２に台座側係合リング部２４を連結させる作業は、フレーム側係合リング部３２をフレーム本体部３１に固定した後（フロントパーツ３６とリアパーツ３７とを固定する前）に行っても良いし、フレーム側係合リング部３２がフレーム本体部３１に固定される前に行っても良い。
【００９４】
以上のようなフレーム本体部（保護部材）３１を備えるフレーム部３０と、宝石１０を保持した台座部２０とを有する本実施例１のペンダントトップ１では、台座部２０が、フレーム部３０に対し、台座側係合リング部２４及びフレーム側係合リング部３２を介して支持されている。
【００９５】
このため、このペンダントトップ１を備えるペンダントを、例えば図７に示すように首からぶら下げて使用者６が身に着けた場合、ペンダントトップ１を動かしたときや揺らしたとき等に、台座部２０及び宝石１０を、フレーム部３０に吊り下げられた状態で前後方向に小さく連続的に揺れ動かすことができる。これにより、ダイヤモンドをより美しく輝かせることができる。この場合、台座部２０及び宝石１０は、ペンダントトップ１の側面視において、台座側係合リング部２４とフレーム側係合リング部３２の接触部Ｏの位置を中心に前後方向に小さく揺動する。また、台座部２０及び宝石１０が揺動する際に、上記接触部Ｏの位置も、フレーム側係合リング部３２の内周縁に沿って前後に動くこともある。
【００９６】
特に本実施例１では、ペンダントトップ１の正面視において、台座部２０及び宝石１０を、フレーム部３０に形成される円形の中央開口部の略中心部において揺動させる。このため、シンプルなドーナツ状の形状を有するフレーム部３０がすっきりと綺麗に見える。更に、フレーム部３０に対して宝石１０が宙に浮いた状態に見えるとともに、台座部２０及び宝石１０の揺動を、その周りを囲むフレーム部３０に対して引き立つように効果的に見せることができる。これにより、台座部２０に固定された宝石１０の輝きをより美しく見せることができるとともに、ペンダントトップ１に今までにない斬新なイメージ（美感）を与えることができる。
【００９７】
また、ドーナツ状のフレーム部３０によって、ペンダントの使用時に台座部２０及び宝石１０が使用者６の着衣する衣服やマフラーなどに直接接することを防止するため、台座部２０及び宝石１０の揺動可能な状態が安定して確保される。特に本実施例１のフレーム本体部３１は、上述したように、フレーム本体部３１の最も背面側に配される裏面が、宝石１０のキューレット部１１よりも更に後方（背面側）に位置するように、表裏方向に厚く形成されている。これにより、宝石１０のキューレット部１１は、図３に示した状態だけでなく、また図７に示した状態においても、フレーム本体部３１の裏面よりも更に後方に突出することはなく、宝石１０は、使用者６が着衣した衣服やマフラーなどから、ペンダントトップ１の表面側に離れた位置に保持される。このため、台座部２０及び宝石１０がフレーム本体部３１の内周側間隙３５の揺動範囲内で揺動するときに、台座部２０及び宝石１０の微小な揺動が、衣服やマフラーなどへの接触によって阻害されることを効果的に防止し、台座部２０及び宝石１０の揺動を安定して持続させることができる。
【００９８】
また本実施例１では、例えば図３にしたようにフレーム本体部３１が鉛直方向に沿って保持される場合だけでなく、例えば図７に示したようにフレーム本体部３１が使用者６の胸元で鉛直方向に対して少し傾いて保持される場合等においても、ダイヤモンドのテーブル表面が斜め上方を向くようにしてダイヤモンド１０と台座部２０がフレーム部３０に支持される。このため、本実施例１のペンダントトップ１は、ペンダントを着用した使用者６の胸元で、ダイヤモンド３０のテーブル表面が他人の目線に入り易いようにしてダイヤモンド１０をより効果的に光輝かせることができる。
【００９９】
更に、本実施例１のペンダントトップ１では、左右のフレーム側係合リング部３２及び台座側係合リング部２４が、小さくて繊細に形成されているために変形に対して弱い性質を備えているものの、保護部材となるフレーム本体部３１によって、左右のフレーム側係合リング部３２の全部と左右の台座側係合リング部２４の全部とが覆い隠されて保護されている（言い換えると、フレーム本体部３１の収容室３４内に左右のフレーム側係合リング部３２の全部と左右の台座側係合リング部２４の全部とが収容されて保護されている）。これにより、台座側係合リング部２４及びフレーム側係合リング部３２が外部に露出しなくなるため、ペンダントとしての通常の使用において、台座側係合リング部２４及びフレーム側係合リング部３２が、別の物体に直接衝突することや偶発的に直接強く押圧されることを防止できる。
【０１００】
従って、本実施例１のペンダントトップ１では、台座側係合リング部２４及びフレーム側係合リング部３２が、外部から意図しない外力（荷重）を直接受けることがないため、そのような外力に起因して台座側係合リング部２４及びフレーム側係合リング部３２に変形や破損が生じることを効果的に防止できる。従って、ダイヤモンド１０が細かく円滑に揺動できる状態を長期に亘って安定して維持できる。
【０１０１】
更に、台座側係合リング部２４及びフレーム側係合リング部３２がフレーム本体部（保護部材）３１によって保護されることにより、髪の毛や糸などが、台座側係合リング部２４やフレーム側係合リング部３２に絡み付くことも防止できる。それにより、ペンダントの取り扱い性を向上させることができるとともに、糸などの絡み付きによってダイヤモンド１０の微小な揺動が阻害されることも防止できる。
【０１０２】
特に本実施例１では、台座側係合リング部２４及びフレーム側係合リング部３２がフレーム本体部３１によって覆い隠されて外部から見えないため、例えばペンダントトップ１の外観品質を損なうことなくフレーム側係合リング部３２を更に太くすることも可能となる。それによって、フレーム本体部３１に対するフレーム側係合リング部３２の固着強度を高めることや、ペンダントトップ１の耐久性を高めること等が可能となる。
【０１０３】
しかも、本実施例１では、台座側係合リング部２４及びフレーム側係合リング部３２が保護部材３１によって覆い隠されて見えなくされているとともに、それらを覆って保護する保護部材３１がフレーム部３０の貴金属製フレーム本体部３１として形成されている。これにより、従来のペンダントトップには存在しなかったリング部保護用の部材が本実施例１では新たに設けられているにも関わらず、ペンダントトップ１の全体の質感を向上させて、外観品質を高めることができる。また、保護部材となるフレーム本体部３１が、上述のように厚さを薄くして且つ中空の形状に形成されていることにより、フレーム本体部３１に用いられる原材料の量を少なくして、フレーム部３０の製造コストを大幅に低減させることができる。特に本実施例１の場合、例えばフレーム本体部が中実に形成される場合に比べて、フレーム本体部３１の製造コストを半分以下に削減することが可能である。
【０１０４】
更に、台座側係合リング部２４及びフレーム側係合リング部３２がフレーム本体部（保護部材）３１によって覆い隠されているため、台座側係合リング部２４及びフレーム側係合リング部３２の存在がペンダントトップ１のデザインに与える影響を小さくし、デザインの自由度を高めることが可能となる。また、フレーム本体部（保護部材）３１に様々なデザインを採用することが可能となる。
【０１０５】
このため、例えばフレーム本体部（保護部材）の形状を変えた変形例に係るペンダントトップ１ａを図９に例示するように、フレーム本体部（保護部材）３１ａの形状を例えばハート形のような枠状の形状に形成することや、又は、ひし形のようなその他の枠状の形状、若しくは、花や動物を模したような形状等のように実施例１とは異なる任意の形状に形成することができる。この場合、フレーム本体部（保護部材）の大きさや厚さ、フレーム側係合リング部の大きさなども任意に変更することが可能である。
【０１０６】
その結果、ペンダントトップに、例えば可愛らしい印象や洗練された印象などを付与して、ペンダントとしての付加価値を更に高めることも可能となる。なお、図９のペンダントトップ１ａにおいて、フレーム本体部（保護部材）３１ａの形状以外については、上述の実施例１のペンダントトップ１と同様に形成されている。このため、図９や後述する別の変形例に係る図１０において、上述の実施例１と同じ構成を有する部分又は部材は同じ符号を用いて表されている。
【０１０７】
なお、上述の実施例１では、上述したように、フレーム部３０の左右のフレーム側係合リング部３２の全体と、台座部２０の左右の台座側係合リング部２４の全体とが、保護部材となるフレーム本体部３１によって覆い隠されて保護されている。しかし、本発明では、少なくとも、フレーム部３０の左右のフレーム側係合リング部３２の全体と、左右の台座側係合リング部２４におけるフレーム側係合リング部３２との連結部分とがフレーム本体部３１によって保護されていれば良い。
【０１０８】
例えば図１０に実施例１の変形例を示すように、図１０のペンダントトップ１ｃでは、左右の台座側係合リング部２４ｃが上述の実施例１よりも大きく形成されて、左右の台座側係合リング部２４ｃにおけるフレーム側係合リング部３２ｃとの連結部分以外のリング部分が一部露出している。また同時に、フレーム側係合リング部３２ｃの全体と、台座側係合リング部２４ｃの少なくとも上記連結部分とが、フレーム本体部３１によって覆い隠されて保護されている。
【０１０９】
このような変形例に係るペンダントトップ１ｃであっても、意図しない外力（荷重）に起因して台座側係合リング部２４ｃ及びフレーム側係合リング部３２ｃに変形や破損が生じることを防止して、ダイヤモンド１０の微小な揺動可能な状態を長期に亘って安定して維持できる。また、髪の毛や糸などが、台座側係合リング部２４ｃやフレーム側係合リング部３２ｃに絡み付き難くすることができる。
【実施例２】
【０１１０】
図１１は、本実施例２に係るペンダントトップを示す正面図である。図１２は、そのペンダントトップの側面図である。
本実施例２に係るペンダントトップ２は、宝石（ダイヤモンド）１０が固定保持される台座部２０と、その台座部２０及び宝石（ダイヤモンド）１０を支持するとともに保護部材として形成されるフレーム部４０とを有する。
【０１１１】
なお、本実施例２のペンダントトップ２は、例えば前述の実施例１のペンダントトップ１に対して、フレーム部４０の形態が異なるものの、台座部２０及び宝石１０は、前述の実施例１のペンダントトップ１の場合と同様に形成されている。従って、本実施例２に関する説明及び図面において、更には後述する実施例３及び実施例４に関する説明及び図面において、前述の実施例１のペンダントトップ１と実質的に同じ構成を有する部分又は部材については同じ符号を用いて表すことによって、その詳しい説明を省略することとする。
【０１１２】
本実施例２のフレーム部４０は、ペンダントトップ２の正面視において、台座部２０及び宝石１０の周りを囲むように配されるとともに保護部材として設けられるフレーム本体部４１と、フレーム本体部４１の内面に固定される左右のフレーム側係合リング部４２と、フレーム本体部４１の上端部に上方に突出するように設けられるチェーン連結部４３とを有する。
【０１１３】
この場合、チェーン連結部４３は、フレーム本体部４１（特にフレーム本体部４１のリアパーツ４７）に図示しない小さな取付穴を形成するとともに、その取付穴にチェーン連結部４３の図示しない留め具を挿入して固定することによって、フレーム本体部４１に取り付けられている。なお本発明において、チェーン連結部４３をフレーム本体部４１に取り付ける方法や手段は特に限定されない。
【０１１４】
本実施例２のフレーム本体部４１は、ペンダントトップ２の正面視において、台座部２０及び宝石１０の全体を外側から取り囲むとともに、台座部２０及び宝石１０が揺動しても接触しないように、台座部２０及び宝石１０から外側に離間して、宝石１０とフレーム本体部４１との間に隙間が形成されるようなドーナツ状の形状を有する。
【０１１５】
このフレーム本体部４１は、フレーム側係合リング部４２及び台座側係合リング部２４の正面を保護するフロントパーツ４６と、フレーム側係合リング部４２及び台座側係合リング部２４の背面を保護するリアパーツ４７とを有する。この場合、フレーム本体部４１のフロントパーツ４６は、前述の実施例１に用いられるフレーム本体部３１のフロントパーツ３６と略同様の形状を有するとともに、当該フロントパーツ３６よりも大きさを全体的に小さくして形成されている。また、左右のフレーム側係合リング部４２は、前述の実施例１に用いられるフレーム側係合リング部３２よりもサイズが小さなリング状に形成されている。
【０１１６】
本実施例２のリアパーツ４７は、フロントパーツ４６に対して前述の実施例１のような表裏対称的な形状を有してなく、ドーナツ状の形状を有するセラミックス製の部材により形成されている。このため、本実施例２のリアパーツ４７の正面視における中央部分には、表裏方向に貫通する円形の中央開口部が設けられている。
【０１１７】
この場合、フレーム本体部４１の正面視において、リアパーツ４７の内径の大きさ（リアパーツ４７の中央開口部の直径の大きさ）は、フロントパーツ４６の外径の大きさよりも小さく設定され、且つ、台座側係合リング部２４及びフレーム側係合リング部４２の背面側を保護できる大きさに設定される。このようなリアパーツ４７は、レーザー等によるロウ付け又はその他の固着手段によって、フロントパーツ４６に固定される。
【０１１８】
なお本発明において、フロントパーツ４６及びリアパーツ４７の形状は任意に変更することが可能である。例えば本実施例２では、リアパーツ４７の変形例として、円形の中央開口部が設けられていないセラミックス製の部材を用いることも可能である。この場合、変形例に係るリアパーツには、リアパーツの背面側端部の位置で、且つ、前後に揺動する台座部２０及び宝石１０と干渉しない位置に、中央開口部を閉じるように配される後壁部が一体的に形成されている。
【０１１９】
本実施例２のフレーム本体部４１は、フロントパーツ４６とリアパーツ４７との間に、左右のそれぞれのフレーム側係合リング部４２及び台座側係合リング部２４を相互に係合させた状態で収容可能な内部空間が形成される中空の形状を有する。従って、このフレーム本体部４１は、フレーム部４０の一部を構成する部分であるとともに、フレーム側係合リング部４２と台座側係合リング部２４とを外側から囲んで保護する保護部材でもある。言い換えると、本実施例２では、前述の実施例１の場合と同様に、フレーム本体部（保護部材）４１の内部空間が、フレーム側係合リング部４２及び台座側係合リング部２４を相互に係合させた状態で内部に収容する収容室として形成されている。
【０１２０】
このような本実施例２のフレーム本体部（保護部材）４１では、フレーム本体部４１の内面に固定される環状のフレーム側係合リング部４２と、そのフレーム側係合リング部４２に連結して係合する台座側係合リング部２４とを連結した状態でフレーム本体部４１の上記収容室内に配置して、これらの係合リング部４２，２４をフレーム本体部（保護部材）４１の内側に収容することにより、連結状態にあるフレーム側係合リング部４２と台座側係合リング部２４の少なくとも正面（前面）、背面（後面）、上面、下面、及び幅方向の外側面を外側から覆って隠すようにして、フレーム側係合リング部４２及び台座側係合リング部２４を全体的に保護することができる。
【０１２１】
すなわち、本実施例２のフレーム本体部（保護部材）４１では、連結状態にあるフレーム側係合リング部４２と台座側係合リング部２４とを、連結した状態でフレーム本体部４１の上記収容室内に収容するため、フレーム本体部４１によって、これらの係合リング部４２，２４を、少なくとも正面（前面）側、背面（後面）側、上面側、下面側、及び幅方向の外側面側から覆うようにして保護することができる。更に、フレーム本体部４１の内周縁部には、台座部２０の左右のアーム部２３を挿通させる内周側間隙（挿通開口部）が、フロントパーツ４６とリアパーツ４７との間に形成されている。
【０１２２】
本実施例２の左右のフレーム側係合リング部４２は、前述の実施例１の場合と同様に形成されており、且つ、フレーム本体部４１のフロントパーツ４６の内面における所定の位置に、レーザー等によるロウ付けによって固定されている。
【０１２３】
以上のような本実施例２のペンダントトップ２では、保護部材となるフレーム本体部４１の形状及び材質が前述の実施例１のペンダントトップ１と異なるものの、ダイヤモンド１０が細かく円滑に揺動できる状態を長期に亘って安定して維持できるとともに、糸などの絡み付きによってダイヤモンドの細かな揺動が阻害されることを防止できるといった前述の実施例１の場合と同様の効果が得られる。
【実施例３】
【０１２４】
図１３は、本実施例３に係るペンダントトップを示す正面図である。図１４は、そのペンダントトップの側面図である。図１５は、そのペンダントトップのフレーム部に保護部材が固定された状態を拡大して示す拡大図である。
【０１２５】
本実施例３に係るペンダントトップ３は、宝石（ダイヤモンド）１０が固定保持される台座部２０と、その台座部２０及び宝石（ダイヤモンド）１０を支持するフレーム部５０とを有する。本実施例３のフレーム部５０は、ペンダントトップ３の正面視において、正面視にて逆Ｖ字状を呈するフレーム本体部５１と、フレーム本体部５１の左右下端部の裏面に設けられる左右のフレーム側係合リング部５２と、フレーム本体部５１の左右の下端部の背面側にそれぞれ固定される左右一対の保護部材６０とを有する。
【０１２６】
すなわち、本実施例３では、フレーム本体部５１と保護部材６０とが別々に形成されており、保護部材６０自体が、台座部２０及び宝石１０を支持する部材として直接形成されていない（機能していない）。一方、台座部２０及び宝石１０は、前述の実施例１のペンダントトップ１の場合と同様に形成されている。
【０１２７】
本実施例３のフレーム部５０において、フレーム本体部５１の上端部には、ペンダントのチェーン５を連結させるためのチェーン連結孔部５３が、左右方向に沿って貫通するように設けられている。また、フレーム本体部５１の左右の下端部は、ペンダントトップ３の正面視において、台座部２０及び宝石１０の下端位置よりも更に下方に延びて形成されている。このようにフレーム本体部５１の左右の下端部を形成することによって、本実施例３のペンダントトップ３が身に着けられときに、使用者が着衣している衣服等を、ペンダントトップ３の下方側から宝石１０及び台座部２０に接触させ難くすることができる。
【０１２８】
本実施例３のフレーム本体部５１において、左右の下端部の背面（裏面）には、フレーム側係合リング部５２を収容する左右のリング収容部５４が設けられている。このリング収容部５４は、フレーム本体部５１の表裏方向の厚さを部分的に薄くして形成されている。左右のリング収容部５４の背面には、それぞれフレーム側係合リング部５２が一体的に形成されている。なお本実施例３において、フレーム側係合リング部５２は、フレーム本体部５１とは別に形成してから、フレーム本体部５１の所定の位置にロウ付け等により固定されていても良い。
【０１２９】
本実施例３の左右の保護部材６０は、互いに別体として形成されている。また、左右の保護部材６０は、フレーム本体部５１の左右の下端部に、連結状態にあるフレーム側係合リング部５２及び台座側係合リング部２４を外側から覆うようにして、ロウ付け等により固定されている。この場合、各保護部材６０は、フレーム側係合リング部５２及び台座側係合リング部２４の背面側を覆う後壁部６１と、フレーム側係合リング部５２及び台座側係合リング部２４の左右方向における外側側方を覆う外側側壁部６２と、フレーム側係合リング部５２及び台座側係合リング部２４の下方を覆う底壁部６３とを有する。更に、フレーム部５０の左右の下端部の内側面部には、台座部２０の左右のアーム部２３を挿通させる内周側間隙（挿通開口部）が、フレーム本体部５１の左右の下端部と保護部材６０との間に設けられている。
【０１３０】
このような本実施例３のペンダントトップ３によれば、連結状態にあるフレーム側係合リング部５２及び台座側係合リング部２４の正面側と上面側とが、フレーム本体部５１によって覆い隠されて保護されるとともに、連結状態にあるフレーム側係合リング部５２及び台座側係合リング部２４の背面側、外側面側、及び下面側が、保護部材６０によって覆い隠されて保護される。言い換えると、本実施例３では、フレーム部５０において、フレーム本体部５１の左右の下端部と保護部材６０とに挟まれるようにして形成される内部空間が、フレーム側係合リング部５２及び台座側係合リング部２４を相互に係合させた状態で内部に収容して保護する収容室として形成されている。
【０１３１】
これにより、本実施例３のペンダントトップ３では、ペンダントとしての通常の使用において、ダイヤモンド１０が細かく円滑に揺動できる状態を長期に亘って安定して維持できるとともに、糸などの絡み付きによってダイヤモンド１０の細かな揺動が阻害されることを防止できるといった前述の実施例１の場合と同様の効果が得られる。
【０１３２】
また本実施例３のフレーム本体部５１及び左右の保護部材６０は、ペンダントトップ３の側面視において、宝石１０のキューレット部１１が、フレーム本体部５１の裏面位置及び保護部材６０の裏面位置よりも表面側に位置するように形成されている。言い換えると、フレーム本体部５１の裏面及び左右の保護部材６０の裏面は、図１４に示した状態において、ペンダントトップ３の表裏方向に関して、宝石１０のキューレット部１１の位置よりも更に裏側の位置に配されている。これにより、本実施例３のペンダントトップ３が身に着けられときに、宝石１０を、使用者が着衣した衣服やマフラーなどに接触させ難くすることができるため、台座部２０及び宝石１０の微小な揺動が、衣服やマフラーなどによって阻害されることを防止できる。
【実施例４】
【０１３３】
図１６は、本実施例４に係る指輪を示す正面図である。図１７は、指輪に用いられる台座部を示す模式斜視図である。図１８は、指輪の要部を模式的に示す模式図である。
【０１３４】
なお、以下の指輪に関する説明において、上下方向とは、指輪に指を挿入する方向を言い、上下方向は、図１６における紙面の上下方向である。左右方向とは、指輪に指を挿入する方向に対して直交するとともに、宝石を中央にして指輪を見たときに後述するフレーム部から指輪の指輪本体部が延出する方向を言う。左右方向は、図１６における紙面の左右方向である。前後方向とは、上述の上下方向と左右方向とに直交する方向を言う。前後方向は、図１６における紙面の表裏方向であり、特に、宝石が見える側の方向を前方とし、その反対側を後方とする。
【０１３５】
本実施例４に係る指輪４は、環状の指輪本体部４ａと、宝石１０としてダイヤモンドが固定保持される台座部９０と、指輪本体部４ａに一体的に形成されるとともに台座部９０及び宝石１０を支持するフレーム部１００とを有する。この場合、フレーム部１００の一部は、後述するように保護部材１０３となる。
【０１３６】
本実施例４の台座部９０は、図１７に示すように、宝石１０が載置される台座本体部９１と、台座本体部９１に突設され、宝石１０を固定する複数の爪部９２と、台座本体部９１の左右の側縁部から台座部９０の幅方向の外側に向けて延出する左右のアーム部９３と、左右のアーム部９３の先端部に配される左右の台座側係合リング部９４とを有する。左右のアーム部９３は、台座本体部９１から左右方向の外側に延出するとともに、台座側係合リング部９４が台座本体部９１に対して直交する姿勢で配されるようにねじれた形状を有する。左右の台座側係合リング部９４の中央部には、円形状の中央開口部９４ａが形成されている。
【０１３７】
この台座部９０は、台座側係合リング部９４及び後述するフレーム側係合リング部１０２を介してフレーム部１００に支持されるときに、固定保持する宝石（ダイヤモンド）１０のテーブル表面が前方を向く（図１６で紙面手前側を向く）とともに、台座側係合リング部９４の中央開口部９４ａが上下方向に向くように形成されている。
【０１３８】
本実施例４のフレーム部１００は、フレーム本体部１０１と、フレーム本体部１０１の内周壁面に固定される左右のフレーム側係合リング部１０２と、フレーム本体部１０１と一体に形成されるとともにフレーム本体部１０１の上端部から内側に向けて延出する環状の保護部材１０３とを有する。
【０１３９】
フレーム本体部１０１は、台座部９０及び宝石１０を収容する収容領域（空間）を内側に備えるお椀状の形態に形成されており、宝石１０のキューレットに対向するように配される底面部１０１ａと、底面部１０１ａの外周縁部から立ち上がるように配される内周壁面部１０１ｂとを有する、このフレーム本体部１０１の内周壁面部１０１ｂと底面部１０１ａとは、宝石１０との間に隙間を形成するように台座部９０及び宝石１０から離れて配されている。
【０１４０】
左右のフレーム側係合リング部１０２は、円形状の中央開口部を有する。各フレーム側係合リング部１０２は、前後方向に対して略４５°の傾斜角度で傾斜して、中央開口部が斜めに傾いた方向に向くような姿勢で、フレーム本体部１０１と保護部材１０３との境界部分又はその近傍に固定されている。この場合、フレーム側係合リング部１０２は、フレーム本体部１０１及び保護部材１０３の少なくとも一方に固定されていれば良いが、フレーム本体部１０１と保護部材１０３の両方に固定されることにより、フレーム側係合リング部１０２の固定強度を高めることができる。
【０１４１】
なお本発明において、フレーム側係合リング部１０２の向きや姿勢、フレーム側係合リング部１０２のフレーム本体部１０１に対する固定手段は特に限定されず、例えばフレーム側係合リング部１０２を、前後方向と平行な姿勢でフレーム本体部１０１又は保護部材１０３に固定することも可能である。
【０１４２】
保護部材１０３は、フレーム本体部１０１の上端部から、中心部に向けて内側に延びるとともに、フレーム本体部１０１の点面部に向けて下り傾斜して延びるように配されている。この保護部材１０３と、フレーム本体部１０１の内周壁面部１０１ｂ及び底面部１０１ａとの間には、左右のフレーム側係合リング部１０２及び台座側係合リング部９４を相互に係合させた状態で収容する収容室（内部空間）１０４が設けられている。
【０１４３】
このような本実施例４の指輪４によれば、相互に連結状態にあるフレーム側係合リング部１０２と台座側係合リング部９４の正面側、背面側、上面側、下面側、及び幅方向の外側面側が、保護部材１０３とお椀状のフレーム本体部１０１とにより覆い隠されて、フレーム側係合リング部１０２の全体と台座側係合リング部９４の全体が保護される。すなわち、本実施例４のフレーム側係合リング部１０２と台座側係合リング部９４とは、図１６に示したような指輪４の正面視において、保護部材１０３の裏側に隠れて見えなくなるとともに、外部から意図しない外力（荷重）を直接受けることも防止できる。
【０１４４】
従って、本実施例４の指輪４では、指輪４としての通常の使用において、ダイヤモンド１０が細かく円滑に揺動できる状態を長期に亘って安定して維持でき、また、糸などの絡み付きによってダイヤモンド１０の細かな揺動が阻害されることも防止できる。その結果、宝石の輝きがより美しく見え、指輪４の装飾効果や高級感をより効果的に高めることができる。
【０１４５】
なお、本発明では、少なくともフレーム部１００の左右のフレーム側係合リング部１０２の全体と、左右の台座側係合リング部９４におけるフレーム側係合リング部１０２との連結部分とが、保護部材１０３とフレーム本体部１０１とにより保護されていれば良く、例えば台座側係合リング部９４におけるフレーム側係合リング部１０２との連結部分以外のリング部分を一部露出させて指輪を製造することも可能である。
【０１４６】
また、前述の実施例１〜実施例３では、身飾品が、ペンダントトップ１，２，３を有するペンダントである場合について説明し、前述の実施例４では、身飾品が指輪である場合について説明した。しかし、本発明は、台座部に固定保持された宝石をフレーム部に対して揺動可能に支持するものであれば、ペンダントや指輪だけでなく、ピアス、イヤリング、ブローチ、ネクタイ止め等のその他の身飾品にも同様に適用することができる。
【０１４７】
また、前述の実施例１〜実施例４では、フレーム側係合リング部と台座側係合リング部とが全体的にリング形状を有する場合ついて説明している。しかし本発明において、フレーム側係合リング部及び台座側係合リング部は、これらが連結されたときに互いに接触する一部の部分が円弧状（リング状）の形状を有し、且つ、それ以外の部分が非円弧状の形状に有するように形成されていても良い。
【０１４８】
更に、前述の実施例１〜実施例４では、１つのフレーム部に対して１つの宝石及び台座部が対応して配される場合について説明している。しかし本発明は、１つのフレーム部に対して、複数の宝石及び台座部が配される身飾品にも同様に適用することができる。
【符号の説明】
【０１４９】
１，１ａ，１ｃ    ペンダントトップ
２，３            ペンダントトップ
４                指輪
４ａ              指輪本体部
５                チェーン
６                使用者
１０                宝石（ダイヤモンド）
１１                裏面側先端部（キューレット部）
２０                台座部
２１                台座本体部
２１ａ              開口部
２２                爪部
２３                アーム部
２４，２４ｃ        台座側係合リング部
２４ａ              中央開口部
３０                フレーム部
３１，３１ａ        フレーム本体部（保護部材）
３１ｂ              フレーム本体部
３２，３２ｃ        フレーム側係合リング部
３３                チェーン連結部
３４                内部空間（収容室）
３５，３５ｂ        内周側間隙
３６                フロントパーツ
３７                リアパーツ
４０                フレーム部
４１                フレーム本体部（保護部材）
４２                フレーム側係合リング部
４３                チェーン連結部
４６                フロントパーツ
４７                リアパーツ
５０                フレーム部
５１                フレーム本体部
５２                フレーム側係合リング部
５３                チェーン連結孔部
５４                リング収容部
６０                保護部材
６１                後壁部
６２                外側側壁部
６３                底壁部
９０                台座部
９１                台座本体部
９２                爪部
９３                アーム部
９４                台座側係合リング部
９４ａ              中央開口部
１００                フレーム部
１０１                フレーム本体部
１０１ａ              底面部
１０１ｂ              内周壁面部
１０２                フレーム側係合リング部
１０３                保護部材
１０４                収容室（内部空間）
Ｏ                接触部
α                傾斜角度
【図１】
2018192098.tif 000003
【図２】
2018192098.tif 000004
【図３】
2018192098.tif 000005
【図４】
2018192098.tif 000006
【図５】
2018192098.tif 000007
【図６】
2018192098.tif 000008
【図７】
2018192098.tif 000009
【図８】
2018192098.tif 000010
【図９】
2018192098.tif 000011
【図１０】
2018192098.tif 000012
【図１１】
2018192098.tif 000013
【図１２】
2018192098.tif 000014
【図１３】
2018192098.tif 000015
【図１４】
2018192098.tif 000016
【図１５】
2018192098.tif 000017
【図１６】
2018192098.tif 000018
【図１７】
2018192098.tif 000019
【図１８】
2018192098.tif 000020
【図１９】
2018192098.tif 000021
【図２０】
2018192098.tif 000022
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
宝石(10)を固定保持する台座部(20)と、前記台座部(20)を支持するフレーム部(30,40,50)とを有し、前記台座部(20)は、前記宝石(10)を挟んで相対する位置に配される左右一対の台座側係合リング部(24,24c)を備え、前記フレーム部(30,40,50)に、左右の前記台座側係合リング部(24,24c)がそれぞれ連結されて係合する左右一対のフレーム側係合リング部(32,32c,42,52)が固定され、左右の前記フレーム側係合リング部(32,32c,42,52)に左右の前記台座側係合リング部(24,24c)がそれぞれ連結されることにより前記台座部(20)及び前記宝石(10)が前記フレーム部(30,40,50)に対して吊り下げられた状態で揺動可能に支持される身飾品において、
前記台座側係合リング部(24,24c)及び前記フレーム側係合リング部(32,32c,42,52)が相互に連結された状態で、少なくとも左右の前記フレーム側係合リング部(32,32c,42,52)と、左右の前記台座側係合リング部(24,24c)の前記フレーム側係合リング部(32,32c,42,52)に対する連結部分とを外側から保護する保護部材(31,31a,31b,41,51,60) を有し、
前記保護部材(31,31a,31b,41,51,60) は、左右の前記フレーム側係合リング部(32,32c,42,52)と左右の前記台座側係合リング部(24,24c)の前記連結部分との正面側を露出しないように覆って保護するフロントパーツ(36,46,51)と、左右の前記フレーム側係合リング部(32,32c,42,52)と左右の前記台座側係合リング部(24,24c)の前記連結部分との背面側を露出しないように覆って保護するとともに前記フロントパーツ(36,46,51)に固定されるリアパーツ(37,47,60)とを有してなる、
ことを特徴とする身飾品。
【請求項２】
前記保護部材(31,31a,31b,41,51,60)により、前記フレーム側係合リング部(32,42,52)及び前記台座側係合リング部(24)の全体が保護されてなる請求項１記載の身飾品。
【請求項３】
前記台座側係合リング部(24c) における前記連結部分以外の少なくとも一部が露出してなる請求項１記載の身飾品。
【請求項４】
前記フロントパーツ(36)と前記リアパーツ(37)とは表裏対称的な形状を有してなる請求項１〜３のいずれかに記載の身飾品。
【請求項５】
前記保護部材(31,31a,31b,41) は、連結された一方の前記台座側係合リング部(24,24c)及び前記フレーム側係合リング部(32,32c,42)と、連結された他方の前記台座側係合リング部(24,24c)及び前記フレーム側係合リング部(32,32c,42) とを同時に保護する単一の一体的な形状を有してなる請求項１〜４のいずれかに記載の身飾品。
【請求項６】
前記保護部材(31,31a,31b,41,51)は、前記フレーム部(30,40,50)の少なくとも一部を構成し、
前記保護部材(31,31a,31b,41,51)の内面に、前記フレーム側係合リング部(32,32c,42,52)が固定されてなる、
請求項１〜５のいずれかに記載の身飾品。
【請求項７】
前記保護部材(31,31a,31b,41) は、中空形状を有してなる請求項１〜６のいずれかに記載の身飾品。
【請求項８】
宝石(10)を固定保持する台座部(20)と、前記台座部(20)を支持するフレーム部(30,40,50)とを有し、前記台座部(20)は、前記宝石(10)を挟んで相対する位置に配される左右一対の台座側係合リング部(24,24c)を備え、前記フレーム部(30,40,50)に、左右の前記台座側係合リング部(24,24c)がそれぞれ連結されて係合する左右一対のフレーム側係合リング部(32,32c,42,52)が固定され、左右の前記フレーム側係合リング部(32,32c,42,52)に左右の前記台座側係合リング部(24,24c)がそれぞれ連結されることにより前記台座部(20)及び前記宝石(10)が前記フレーム部(30,40,50)に対して吊り下げられた状態で揺動可能に支持される身飾品において、
前記フレーム部(30,40,50)は、前記台座側係合リング部(24,24c)及び前記フレーム側係合リング部(32,32c,42,52)が相互に連結された状態で、少なくとも左右の前記フレーム側係合リング部(32,32c,42,52)と左右の前記台座側係合リング部(24,24c)の前記フレーム側係合リング部(32,32c,42,52)に対する連結部分との正面側を露出しないように覆って保護するフロントパーツ(36,46,51)と、左右の前記フレーム側係合リング部(32,32c,42,52)と左右の前記台座側係合リング部(24,24c)の前記連結部分との背面側を露出しないように覆って保護するとともに前記フロントパーツ(36,46,51)に固定されるリアパーツ(37,47,60)とを有し、
前記フロントパーツ(36,46,51)と前記リアパーツ(37,47,60)の間に、少なくとも前記フレーム側係合リング部(32,32c,42,52)と、前記台座側係合リング部(24,24c)の前記連結部分とを内部に収容して外側から保護する収容室(34)が配されてなる
ことを特徴とする身飾品。
【請求項９】
前記収容室(34)に、前記フレーム側係合リング部(32,42,52)及び前記台座側係合リング部(24)の全体が収容されてなる請求項８記載の身飾品。
【請求項１０】
前記台座側係合リング部(24c) における前記連結部分以外の少なくとも一部が露出してなる請求項８記載の身飾品。
【請求項１１】
前記フロントパーツ(36,46) と前記リアパーツ(37,47) とは表裏対称的な形状を有し、
前記フレーム部(30,40)のフレーム本体部(31,31a,31b,41) は、前記収容室(34)を形成する中空の形状を有してなる、
請求項８〜１０のいずれかに記載の身飾品。
【請求項１２】
前記フレーム部(30,40,50)は、前記台座部(20)の一部を挿通させる挿通開口部(35,35b)を有し、
前記挿通開口部(35,35b)は、前記台座部(20)及び前記宝石(10)の揺動を許容すると同時に、前記台座部(20)及び前記宝石(10)の揺動範囲を規制する大きさを有してなる、
請求項１〜１１のいずれかに記載の身飾品。
【請求項１３】
前記フレーム部(30,40) は、前記身飾品を正面側から見たとき、前記台座部(20)に保持された前記宝石(10)の外周を取り囲み、且つ、前記宝石(10)との間に隙間のある形状を有してなる請求項１〜１２のいずれかに記載の身飾品。
【請求項１４】
前記身飾品の側面視において、前記身飾品の表裏方向に関し、前記フレーム部(30,40,50)の裏側端面は、揺動可能な前記宝石(10)の裏面側先端部の位置よりも更に裏側の位置に配されてなる請求項１〜１３のいずれかに記載の身飾品。
【手続補正２】
【補正対象書類名】明細書
【補正対象項目名】００２０
【補正方法】変更
【補正の内容】
【００２０】
上記目的を達成するために、本発明により提供される身飾品は、宝石を固定保持する台座部と、前記台座部を支持するフレーム部とを有し、前記台座部は、前記宝石を挟んで相対する位置に配される左右一対の台座側係合リング部を備え、前記フレーム部に、左右の前記台座側係合リング部がそれぞれ連結されて係合する左右一対のフレーム側係合リング部が固定され、左右の前記フレーム側係合リング部に左右の前記台座側係合リング部がそれぞれ連結されることにより前記台座部及び前記宝石が前記フレーム部に対して吊り下げられた状態で揺動可能に支持される身飾品において、前記台座側係合リング部及び前記フレーム側係合リング部が相互に連結された状態で、少なくとも左右の前記フレーム側係合リング部と、左右の前記台座側係合リング部の前記フレーム側係合リング部に対する連結部分とを外側から保護する保護部材を有し、前記保護部材は、左右の前記フレーム側係合リング部と左右の前記台座側係合リング部の前記連結部分との正面側を露出しないように覆って保護するフロントパーツと、左右の前記フレーム側係合リング部と左右の前記台座側係合リング部の前記連結部分との背面側を露出しないように覆って保護するとともに前記フロントパーツに固定されるリアパーツとを有してなることを最も主要な特徴とするものである。
【手続補正３】
【補正対象書類名】明細書
【補正対象項目名】００２２
【補正方法】変更
【補正の内容】
【００２２】
また本発明の身飾品において、前記フロントパーツと前記リアパーツとは表裏対称的な形状を有することが好ましい。
【手続補正４】
【補正対象書類名】明細書
【補正対象項目名】００２４
【補正方法】変更
【補正の内容】
【００２４】
本発明により更に提供される身飾品は、宝石を固定保持する台座部と、前記台座部を支持するフレーム部とを有し、前記台座部は、前記宝石を挟んで相対する位置に配される左右一対の台座側係合リング部を備え、前記フレーム部に、左右の前記台座側係合リング部がそれぞれ連結されて係合する左右一対のフレーム側係合リング部が固定され、左右の前記フレーム側係合リング部に左右の前記台座側係合リング部がそれぞれ連結されることにより前記台座部及び前記宝石が前記フレーム部に対して吊り下げられた状態で揺動可能に支持される身飾品において、前記フレーム部は、前記台座側係合リング部及び前記フレーム側係合リング部が相互に連結された状態で、少なくとも左右の前記フレーム側係合リング部と左右の前記台座側係合リング部の前記フレーム側係合リング部に対する連結部分との正面側を露出しないように覆って保護するフロントパーツと、左右の前記フレーム側係合リング部と左右の前記台座側係合リング部の前記連結部分との背面側を露出しないように覆って保護するとともに前記フロントパーツに固定されるリアパーツとを有し、前記フロントパーツと前記リアパーツの間に、少なくとも前記フレーム側係合リング部と、前記台座側係合リング部の前記連結部分とを内部に収容して外側から保護する収容室が配されてなることを最も主要な特徴とするものである。
【手続補正５】
【補正対象書類名】明細書
【補正対象項目名】００２６
【補正方法】変更
【補正の内容】
【００２６】
また別の形態に係る身飾品において、前記フロントパーツと前記リアパーツとは表裏対称的な形状を有し、前記フレーム部のフレーム本体部は、前記収容室を形成する中空の形状を有することが好ましい。